(57)【要約】無線周波数識別（ＲＦＩＤ）トークンが電子機器と使用され、プロファイルデータにアクセスして電子機器をパーソナル化する。それぞれのトークンは、ネットワーク上の中継位置に対するポインタを含んでおり、ポインタは、ユーザプロファイルデータが記憶されるプロファイル位置を示す。ユーザが電子機器を使用したいとき、彼／彼女はトークンを電子機器の近くに置き、電子機器は、中継位置により示されるサイトからのデータにアクセスする。プロファイル位置は、スピードダイアルリスト、メディア設定、設定プロダクト分類等のような多くの異なるタイプのデータを含んでいる。電子機器は、たとえば、データベースがＸＭＬタグ付けされている場合に、関連するコンテンツをフィルタ出力することにより要求される情報を取得して、電子機器自身をパーソナル化することができる。たとえば、テレビジョンのように１台の電子機器を複数のユーザが使用したいとき、それぞれのユーザは、彼／彼女のトークンを電子機器の近くに置き、電子機器は、電子機器のパーソナル化して使用するための１つの構成プロファイルの発展に従い、関連するプロファイルデータを結合する。
2004501462.tif 000002
【特許請求の範囲】
【請求項１】
無線送信装置に対応する選択プロファイルが記憶されるアドレスを示すプロファイルユニフォームリソースロケータ（ＵＲＬ）を送信するためにプログラムされた中継サーバのアドレスを示す中継ＵＲＬを含むメモリと、　前記メモリに接続され、前記中継ＵＲＬを電子機器に送信する送信機と、
を備える無線送信装置。
【請求項２】
前記メモリは、前記電子機器への送信のために前記無線送信装置のユニークな識別記号を含む、請求項１記載の装置。
【請求項３】
前記送信機及び前記メモリは、内部電源を有さないトランスポンダの一部である、請求項１記載の装置。
【請求項４】
メモリと、
様々なＩＤ装置に記憶される中継アドレスに作用的に応答し、電子機器により送信された前記ＩＤ装置の識別記号を前記ＩＤ装置のうちの１つから作用的に受信するためのネットワークインタフェースと、
前記ＩＤ装置の識別記号に対応するプロファイルが記憶されるプロファイルアドレスを前記メモリから検索し、前記プロファイルアドレスを前記電子機器に送信するためにプログラムされているコントローラと、
を備えるネットワークサーバ。
【請求項５】
コントローラと、
前記コントローラに接続され、ＩＤ装置の識別記号を作用的に受信するためのコントローラと、
前記ＩＤ装置に対応する中継サーバに接続可能なネットワークインタフェースとを備え、
前記コントローラは、前記識別記号に応答して前記中継サーバにデータを送信し、前記中継サーバから応答してプロファイルアドレスを受信し、プロファイルサーバのプロファイルデータにアクセスするために更にプログラムされる、
電子機器。
【請求項６】
電子機器の動作を制御するための方法であって、
第１の機器構成データにネットワークアクセスを提供する第１のアクセスデータを前記電子機器に伝達するステップと、
前記ネットワークを介して、前記第１の機器構成データの少なくとも１部を前記電子機器で受信するステップと、
前記第１の機器構成データに応答して前記電子機器を構成するステップと、
第２の機器構成データにネットワークアクセスを提供する第２のアクセスデータを前記電子機器に伝達するステップと、
前記第２の機器構成データの少なくとも１部を前記電子機器で受信するステップと、
前記第２の機器構成データに応答して前記電子機器を再構成するステップと、を備える方法。
【請求項７】
最初の前記伝達するステップ及び次の前記伝達するステップは、前記第１及び第２のアクセスデータを永続的に記憶する携帯用装置からのデータをそれぞれ伝達するステップをそれぞれ含む、
請求項６記載の方法。
【請求項８】
最初の前記受信ステップは、前記第１のアクセスデータで識別されるネットワークサーバに応答して第１の中継データを受信し、前記第１の中継データにより前記ネットワークを介してアクセス可能にされるプロファイルデータを受信するステップを含み、
次の前記受信するステップは、前記第２のアクセスデータで識別されるネットワークサーバに応答して第２の中継データを受信し、前記第２の中継データにより前記ネットワークを介してアクセス可能にされるプロファイルデータを受信するステップを含む、
請求項７記載の方法。
【請求項９】
最初の前記受信ステップは、前記第１のアクセスデータで識別されるネットワークサーバに応答して第１の中継データを受信し、前記第１の中継データにより前記ネットワークを介してアクセス可能にされるプロファイルデータを受信するステップを含み、
次の前記受信するステップは、前記第２のアクセスデータで識別されるネットワークサーバに応答して第２の中継データを受信し、前記第２の中継データにより前記ネットワークを介してアクセス可能にされるプロファイルデータを受信するステップを含む、
請求項６記載の方法。
【請求項１０】
最初の前記伝達するステップ及び次の前記伝達するステップは、前記第１及び第２のアクセスデータを永続的に記憶する携帯用装置からのデータをそれぞれ伝達するステップをそれぞれ含み、
前記携帯用装置は、無線周波数の識別装置である、
請求項６記載の方法。
【請求項１１】
前記第１及び第２のアクセスデータのそれぞれは、前記第１及び第２の無線周波数の識別装置のそれぞれに永続的に記憶される、請求項１０記載の方法。
【請求項１２】
前記伝達するステップは、無線周波数の識別装置を前記電子機器と共に配置するステップを含む、請求項１１記載の方法。
【請求項１３】
最初の前記受信するステップは、前記電子機器に関連するデータ、及び別のタイプの電子機器に関連するデータを含むプロファイルデータの一部を受信するステップを含む、請求項６記載の方法。
【発明の詳細な説明】
【０００１】
［発明の背景］
本発明は、個人の選択又はプロファイル、データ等を通して、そのユーザインタフェースの複雑さをより低減することができる電子機器に関する。より詳細には、本発明は、ユーザ識別を示す物理的なトークン又はタグの使用、及びネットワークを介してアクセス可能なメモリからプロファイルデータを取得するメカニズムに関する。
【０００２】
［発明の背景］
テレビジョン、電話、コンピュータ等のような多くの現代の電子機器は、使い易さのためにパーソナル化可能な装置について需要が存在する多くの選択のアレイを提供することが可能となっている。例として、パーソナル化された電子番組ガイド（ＥＰＧ）を提供するセットトップボックスがある。これらは、番組を選択又はフィルタリングするためのルールを特定することで能動的に、又は延長された時間期間を通して、セットトップボックスの使用からルールを抽出可能にすることで受動的に、パーソナル化することができる。
【０００３】
パーソナル化された電子機器の別の非常に簡単な例は、テレフォンスピードダイアルディレクトリ（ｔｅｌｅｐｈｏｎｅ ｓｐｅｅｄ ｄｉａｌ ｄｉｒｅｃｔｏｒｙ）である。パーソナル化された電子機器の更なる例は、デスクトップコンピュータであり、そのアプリケーションにより、作業環境をカスタマイズするために様々な個人の設定を確立することができる。
【０００４】
かかる多くの電子機器の第１の問題点は、この電子機器内に複数のプロファイルを記憶するための能力に欠けていることである。加えて、新たな電子機器を購入、レンタル、又は（別の住居に滞在する間のように）使用する場合、ある電子機器で作成された個人データは、別の電子機器で使用することができない。
【０００５】
上記パーソナル化のアプローチの第２の問題点は、１台の電子機器の複数のユーザのそれぞれは、特徴を選択するために相違する基準を採用している場合があるという事実である。これらは、コンピュータのユーザインタフェースをパーソナル化するときに、一致しない場合がある。
【０００６】
代替的に、家族のそれぞれがテレビジョンＥＰＧ又はスピードダイアルリストに寄与するパーソナル化を行う場合のように、パーソナル化の利点が減少したときに、ユーザがオプションスペースを拡張する場合がある。ＥＰＧの例では、家族のある者によるドキュメンタリの選択、別の者によるシットコムの選択、及び別の者によるスポーツの選択は、パーソナル化されていないＥＰＧと同様に非個人的なものに選択スペースを拡張することに寄与する。
【０００７】
インターネット端末の特定の環境における上述した第１の問題点を克服するための１つの試みは、スマートカードを使用して、個人の識別データを記憶することである。かかる解決の例は、米国特許第５９８３，２７３号に記載されている。上記特許では、ユニークなネットワークアドレスを含むスマートカードがセットトップボックスに挿入される。スマートカードの情報は、インターネットサーバに送信され、これに応答してサーバは、セットトップボックスを機器構成するために、ユーザに特定の情報をセットトップボックスにダウンロードする。
【０００８】
カード、端末（セットトップボックス）及びサーバ間のインタラクションは、認証を提供する。サーバにより伝達される情報は、ウェブサイト、チケットの形式でのアクセス特権データ、及び嗜好リストをビューイングするための情報をフィルタリングすることを含んでいる。チケットは、ウェブサイトでの許可を実施し、少なくとも１つのカスタマイズされた応答を提供する。使用は、ユーザの電子メール、嗜好リンク、ＵＲＬでのタイトル、及びチケットに応答した小さな情報の送出を記述する。
【０００９】
別の特許ＤＥ１９７１３２７１号では、クライアントサーバシステムを簡単に記載しており、このシステムでは、トランスポンダが使用され、ユーザ及びクライアントに伝達され、ユーザ又はユーザクラスに特化した情報に基づいてカスタマイズされるサービスを分類する。これにより、電子機器をユーザに依存した異なるパーソナル化にスイッチすることで、上記第２の問題点を処理することができる。
【００１０】
別の特許ＧＢ２３２５６３７号では、ＥＰＧアプリケーションの領域での第２の問題点を処理するものである。このアプリケーションでは、家族のようなグループにおけるそれぞれのユーザは、彼自身／彼女自身を現在のユーザとして識別する。個別のプロファイルは、それぞれのユーザにより発展される。次いで、複数のユーザがテレビジョンを一緒に見ているとき、それらのプロファイルは、選択的に論理ＡＮＤ演算又は論理ＯＲ演算され、その後ＥＰＧをフィルタリングするために使用される新たなプロファイルを生成する。
【００１１】
従来技術では、電子機器を更新する困難の幾つかを解決しているが、電子機器をパーソナル化して、ある電子機器から別の電子機器への選択についての情報を送信することをより容易にする必要がある。加えて、複数のユーザのプロファイルを結合することを容易に、かつより便利にする必要がある。さらに、かかる便利さを提供するためのメカニズムは、米国特許第５，９８３，２７３号に記載されるスマートカードシステムにより必要とされるような複雑なサービスインフラストラクチャをサポートする必要なしに、かかる便利さを製造者により提供することができるようでなければならない。
【００１２】
［発明の概要］
要するに、無線周波数の識別（ＲＥＩＤ）トークンが電子機器と共に使用され、プロファイルデータにアクセスして電子機器をパーソナル化する。それぞれのトークンは、ネットワーク上の中継位置に対するポインタを含んでおり、更なるポインタは、ユーザプロファイルデータが記憶されているプロファイルの位置を示している。
【００１３】
ユーザが電子機器を使用することを望むとき、彼／彼女は、電気機器の近くにトークンを配置し、電子機器は、中継位置により示された（ポイントされた）サイトからのデータにアクセスする。プロファイルの位置は、スピードダイアルリスト、メディア選択、選択されたプロダクト分類等のような多くの異なるタイプのデータを含んでいる場合がある。
【００１４】
電子機器は、たとえば、データベースがＸＭＬタグ付けされた場合のように、関連するコンテンツをフィルタ出力することにより必要とされる情報を取得して、電子機器自身をパーソナル化することができる。たとえば、テレビジョンのような１台の電子機器を複数のユーザが使用することを望むとき、それぞれのユーザは、彼／彼女のトークンを該電子機器の近くに配置し、該電子機器は、電子機器をパーソナル化するために使用される１つの構成プロファイルを発展することに従い、関連するプロファイルデータを結合する。
【００１５】
発明の構成要素は、ＲＦＩＤタグ又はトークン、或いは識別、許可及び／又は認証データを記憶可能な適切な装置である。それぞれのＲＦＩＤ装置は、中継位置と呼ばれるユニークなインターネットのユニフォームリソースロケータ（ＵＲＬ）を含んでいる。中継位置ＵＲＬは、ユーザにより及び／又はユーザのために所有及び維持されるプロファイルＵＲＬを記憶する。
【００１６】
装置の製造者は、新たなセットトップボックス、電話、テレビジョン、コンピュータ、又は他の電子機器に該装置を供給することができる。ユーザは、中継位置に独立であり、トークンのみに対応するプロファイルサーバである位置で、彼／又は彼女の個人データを維持する。
【００１７】
トークン又は装置は、ユーザがスマート電子機器を使用する場合に、スマート電子機器の近くに単に配置される場合がある。この装置は、電子機器の近くに配置される必要があるか、Ｂｌｕｅｔｏｏｔｈ（登録商標）におけるように、数メートールの実質的な半径であるフィールドで作動することが許可される。
【００１８】
ユーザが期間の間に電子機器を離れて戻るような物理的なセットアップで装置が使用される場合、及びその期間の間に除かれたプロファイルを有することが破壊的である場合、電子機器は、持続性のある期間のオプションを提供することができる。したがって、ユーザは、最大のインターバル長を示すことができ、その後、装置が存在しないことは、彼／彼女がもはや現在のユーザではないことを示すべきである。このことは、多くのユーザが１台の電子機器を同時に使用するような状況において有効である。
【００１９】
たとえば、家族の１人がポップコーンを作るために起きたとき、そのユーザのプロファイルデータにとって、プールから除去されることは望ましくない。ユーザグループに加えられることから瞬間的な占有を防止するために、確認又は認証されない場合には、トークンの検出により、ユーザのグループへの追加を引き起こさない。したがって、電子機器は、新たな占有により、彼／彼女がユーザグループに加えられたことを確認することを要求することができる。
【００２０】
代替的に、装置は、電子機器の近くに配置される必要がある。このシナリオでは、それぞれのユーザは、彼／彼女がユーザグループのアクティブ状態のメンバのままであると期待される場合に、彼のトークン又は装置を電子機器の上部又は電子機器の近くに離す。これにより、ユーザグループに追加される余地の瞬間的な占有の不注意な追加を回避するという利点を有することになる。
【００２１】
トークンがスマート電子機器とのリンクを確立するとき、中継ＵＲＬ及びトークンの識別子を伝達する。スマート電子機器は、プロファイルＵＲＬの送信により応答して、中継ＵＲＬにアクセスする。次いで、スマート電子機器は、プロファイルＵＲＬとのリンクを試みる。安全のために、トークンは、中継位置ＵＲＬと同様にトークンを識別するデータを提供し、スマート電子機器は、プロファイル位置とリンクするために許可されるこの識別子を送信するために必要とされる。
【００２２】
この認証条件により、ユーザが彼／彼女のＲＦＩＤ装置を失った場合、彼／彼女はプロファイルの目的地に装置の喪失を示すことができる。次いで、装置を使用するための続く試みを許可しないことができる。したがって、最初のユーザデータにアクセスするための別のユーザの試みは、許可に失敗して、プロファイルデータにアクセスすることができない。
【００２３】
代替的に、許可は、中継位置サーバを通して処理することができる。この場合では、失った装置又はトークンは、中継サーバの管理者に報知することができ、これにより、失った装置からのサービス要求に応答して、プロファイルＵＲＬをもはや送信することができない。
【００２４】
代替的に、中継ＵＲＬは、全ての時間について単に中止することができ、又は新たな第２の認証タグに中継ＵＲＬを結合することにより再使用することができる。後者であれば、プロファイルＵＲＬをリターンする前に、装置からの認証コードを必要とする中継サーバを有することにより実現することができる。更に別の代替は、中継サーバ及びプロファイルサーバの両者でセキュリティを提供することである。
【００２５】
シナリオの使用に戻り、スマート電子機器とプロファイルサーバの間でリンクが確立されていると仮定すると、ユーザは、プロファイルを使用するために、ＰＩＮ番号又は他の認証装置の入力を促される。ユーザは、電子機器に又はＲＦＩＤ装置自身を介して認証情報を入力する。したがって、データの入力及び表示を可能にする小さなユーザインタフェースにタグを設けることができる。
【００２６】
電子機器は、ユーザの現在のグループの構成を決定するためにその周辺を連続的にポーリングすることができる。グループが変更された場合、電子機器は、適切なアクションを行う場合がある。トークンは無線端末、トランスポンダ、ＲＦＩＤタグ、又は無線でデータを送信することができるいずれか他の種類の装置である場合がある。装置がそれ自身所有の電源を有する場合、電子機器は、新たな装置についてポーリングする必要がない。
【００２７】
ユーザグループ変更の構成のように、電子機器は、結合されたプロファイルについての情報を提供する場合があり、これにより、グループは、不一致が調整又は調停される。プロファイルは、不完全な情報を含むことが避けられず、不完全な情報を調停させるための方法がある範囲に制限される場合がある。したがって、たとえば、１ユーザのプロファイルのシットコムが存在しないことは、無関心又は嫌悪を示す。調停するためのメカニズムは、ルールのセットの統合又は交差のような、簡単な論理的な動作に制限される場合がある。
【００２８】
結合されたプロファイルに関するフィードバックを提供することにより、及び結合されたプロファイルがどのように作成されたかを提供することにより、ユーザは、より知的な調停を作成することができる。かかるインタラクティブな調停をサポートするためのユーザインタフェースは、様々なプロファイルからの好まれるマテリアルの全てのカテゴリを表示し、ユーザは全てのカテゴリの中から選択することができる場合がある。たとえば、ユーザプロファイルがシットコムを含んでいない上記ケースでは、１ユーザが無関心の場合にグループがカテゴリを選択し、ユーザがそのマテリアルのグループを嫌いな場合に選択しない場合がある。
【００２９】
ユーザがあるグループを離れ、及び彼／彼女のプロファイルが取り出される場合、電子機器がプログラムされて、現在のグループに対する変更を主張するように、結合されたプロファイルのスペースが十分に変更されたかが判定される。たとえば、スポーツが嫌いな人のみであれば、スポーツ愛好家のみを残してグループを離れる。前のグループのプロファイルの交差から生じるシットコムの現在の妥協案は、現在のグループ選択とのより強い整合を生成して、極端に変更される。したがって、この場合では、電子機器（たとえば、テレビジョン）は、考慮すべきグループについて新たなプログラミングを主張する。
【００３０】
プロファイルを結合することは、一定の同質の解決スペースである必要はない。ある期間、たとえば２時間のＴＶ視聴を計画している１つのグループについて、全てのメンバについて最大にする時間に依存するやり方で妥協することは可能である。あるメンバ又はサブグループについて第１の時間の間に多く選択されたプログラミング、及び別のメンバ又はサブグループについて第２の時間の間に高く評価されたプログラミングを主張するプロファイルの結合を仮定する。
【００３１】
グループが電子機器を一緒に使用する時間を電子機器が知っている場合、電子機器は、その情報を利用して、時間的に高い評価の選択を分離するように選択することができる。結果的に、あるメンバが第１のインターバルの間に彼／彼女の最も選択されたプログラミングを見るようになり、別のユーザが第２のインターバルの間に彼／彼女の最も選択されたプログラムを見るようになる。
【００３２】
消費者が電子機器を購入したとき、複数のＲＦＩＤ装置は、電子機器と共に発送される。代替的に、１台の装置が１台の新しい装置と発送され、更なる装置が必要とされる場合に購入されてもよい。装置が複数のタイプの電子機器と使用される場合、又は複数の電子機器が複数の製造業者により作成される場合、すべてが適用する通信プロトコル規格が存在する。
【００３３】
代替的に、異なるプロトコルは、異なる製造業者及び他の製造業者の装置を認識及び交差するために構築される電子機器のそれぞれにより使用される場合がある。複数の装置は、中継サーバにおける使用されたリソースを防止するために、プロダクトと発送される場合、ユーザは、彼／彼女の装置を登録することが必要とされる。中継サーバへのユーザログは、彼／彼自身を有効なユーザとして許可し、プロファイルＵＲＬを入力する。
【００３４】
ユーザは、このＵＲＬを常に変更又は更新することができるが、それぞれのユーザについて要求されるリソースは非常に小さく、多くのユーザは非常に小さな記憶スペースでサービスを利用することができる。また、中継サーバとの接触を最小にするために、電子機器は、プロファイルデータ又はＵＲＬデータが期間満了になるまでにある期間の間に持続するようにプログラムすることができる。好ましくは、このデータは、電子機器の記憶がプライバシーの問題を与えるものではないように、確認インタフェースを介することなしに知れることはない。
【００３５】
本発明は、プライベートプロファイルのデータベースを意図している。本発明の１実施の形態では、それぞれの電子機器は、このデータベースに情報を寄与する。従来技術は、電子機器とのユーザインタラクションを監視することにより、ユーザ選択に適合するシステムの様々な記述を含んでいる。たとえば、時間を通してのユーザプログラミングの選択を監視することにより、ＥＰＧセットトップボックスは、ルールを導出し、これらを使用して将来的にＥＰＧをパーソナル化することができる。
【００３６】
このプロファイルデータは、電子機器によりユーザのパーソナルプロファイルサーバにアップロードされる場合がある。好ましくは、データフォーマットは、複数のクラスの電子機器にわたり標準化されることが好ましいが、これは本質的なものではない。たとえば、データは、様々な装置がタグ付けを通してその意味をとることを可能にして、ＸＭＬタグ付けされてアドホックに記憶される。
【００３７】
上述したように、本発明は、とりわけ、様々な電子機器の中でもプロファイル又は設定データを「移動する」能力を提供する。また、本発明は、プロファイル又は設定データを、ＵＲＬのような記憶しなければならないものよりはむしろ、物理的なオブジェクトに関連付ける能力を提供する。さらに、本発明は、ユーザインタフェースを介してデータ入力を要求することなしに、ユーザを識別するための簡単、高速、かつ便利なメカニズムを提供する。さらに、本発明は、アドホックグループが電子機器に対して定義されて表され、それにより複数のユーザプロファイルをマージする能力を提供する。なお、さらに、本発明は、製造業者が必要なデータの容量のサポートを製造業者に要求することなしに、サービスインフラストラクチャのサポートに対する鍵を製造業者に提供するための能力を提供する。後者の特徴は、ユーザデータをより安全にかつより個人的にするための装置を許可する利点を有する。
【００３８】
本発明は、より十分に理解されるように、以下の例示的な図面を参照して、好適な実施の形態と関連して記載される。図面を参照して、図示される詳細は、本発明の好適な実施の形態の例示的な議論を目的としており、本発明の原理及び概念的な態様の最も有効で、かつ容易に理解される記載である。この点に関して、本発明の基本的な理解の必要性よりも、本発明の構造的な詳細を示すことの試みはなされていない。図面を参照してなされる記載により、本発明の幾つかの構成が実際に具体化される場合があることは当業者には明らかとなるであろう。
【００３９】
［発明の実施の形態］
図１を参照して、本発明は、ホームテレビジョンシステムのための電子番組ガイド（ＥＰＧ）の環境で記載される。実施の形態では、コンピュータ（又は「セットトップボックス」）２４０は、テレビジョン又はモニタ２３０に番組情報を表示する。コンピュータ２４０は、ビデオ信号２６０を受信して、キーボード２１１又はハンドヘルドリモートコントロール２１０のようなユーザ入力装置を通してサーチ問合せを受けると共に、チャンネル変更機能を制御するように装備されている。
【００４０】
ＥＰＧは、サーチエンジン処理を使用した問合せと同様に、（現在の日付のような）デフォルトフィルタのような簡単な基準に基づいて、ブラウザ表示することができる。また、コンピュータ２４０は、テレビジョンのチューナ（図示せず）を通してよりはむしろ、コンピュータ２４０内部のチューナ（図示せず）を通してチャンネルの選択をユーザに可能にするようにプログラムされている。
【００４１】
次いで、ユーザは、コンピュータを制御するためのリモートコントロール２１０を使用して表示された番組スケジュールからの所望の選択のハイライト表示により、視聴される番組を選択することができる。コンピュータ２４０は、それを通して更新されたプログラムスケジュールデータを受信することができるデータリンク２６０を有している。このデータリンクは、インターネットサービスプロバイダ又は他の適切なデータ接続に接続可能な電話線とすることができる。
【００４２】
コンピュータ２４０は、たとえば、ハードディスクのような大容量記憶装置２３５を有しており、番組スケジュール情報、番組アプリケーション及びアップグレード、及び他の情報を記憶する。ユーザ選択に関する情報及び他のデータは、メモリカード又はディスク２２０のような取り外し可能なメディアを介して、コンピュータ２４０にアップロードされる。
【００４３】
代替的に、情報は、ＲＦＩＤトークン又は装置１００のようなトランスポンダから取得される場合がある。ＥＰＧデータは、タイトル及び、物語の要約、コンテンツを分類するキーワード等のような各種記述情報を含んでいる場合がある。これらのデータは、適切なユーザインタフェース（ＵＩ）を通してフルテキストとして検索可能である。
【００４４】
図２Ａを参照して、プログラム情報は、ユーザに示すことができ、ユーザによりブラウザ表示することができる。付属のディスプレイは、ケーブルテレビジョンチャンネルガイドで一般に使用されるフォーマットに類似して、タイムグリッド１７０の形式である場合がある。
【００４５】
タイムグリッドディスプレイ１７０では、１３０でのバーにより示されるように、各種プログラムが示されている。それぞれのバーの長さは、それぞれの番組時間を示し、それぞれのバーの開始及び終了位置は、それぞれの番組の開始及び終了時間をそれぞれ示している。記述ウィンドウは、現在選択されている番組に関する詳細な情報を示すために設けられている。
【００４６】
コンテンツは、無線、ケーブル、光、ツイストペア又は他の金属配線を含むいずれかのタイプのネットワーク２７４を介して、インターネットサーバ２７６、衛星受信機１０３から供給される。コンテンツは、デジタル又はアナログ信号として伝送することができる。
【００４７】
なお、上記例のハードウェア環境において多くの置き換えが可能であり、全ては本発明と接続して使用することができる。大容量記憶装置は、揮発性メモリ又は不揮発性メモリにより置き換えることができる。データは、ローカルに、又はリモートに記憶することができる。実際には、コンピュータ２４０は、リンクを通してオフサイトで動作するサーバで置き換えることができる。赤外線（ＩＲ）ポート２１５を通してコンピュータ２４０に命令を送出するためのリモートコントロールを使用するよりは、コントローラは、データチャネル２６０を通して命令を送出することができる。データチャネル２６０は、ビデオを搬送する物理チャネルと別にされるか、又は物理チャネルと同じである。
【００４８】
ビデオ又は他のコンテンツは、ケーブル、無線、又はいずれか他のブロードバンドの物理チャネル、或いは大容量記憶又は取り外し可能なメディアから得られるものにより搬送することができる。ＡＴＭ又は同期データ通信向けに適した他のネットワークにより、スイッチ可能な物理チャネルにより搬送することもできる。コンテンツは、今日のＩＰネットワークを使用することができるように、非同期であり、ドロップアウト耐性があるものとすることができる。
【００４９】
さらに、番組コンテンツが受信されるラインのコンテンツは、オーディオ、チャット会話データ、ウェブサイト、又は各種選択が可能であるいずれか他の種類のコンテンツである。番組ガイドは、分離データリンク２６０を以外のチャネルを通して受信することができる。たとえば、番組ガイド情報は、ビデオ又は他のコンテンツと同じ物理チャネルを通して受信することができる。番組情報は、メモリカード又はディスク２２０のような取り外し可能なデータ記憶メディアを通して提供することもできる。
【００５０】
リモートコントロール２１０は、キーボード、ボイスコマンドインタフェース、３次元マウス、ジョイスティック、又はいずれか他の適切な入力装置により置き換えることができる。ハイライト表示インジケータの移動、（名前又は番号により）選択をシンボル的に識別、又はデータ伝送又は取り外し可能なメディアを介してバッチ形式での選択、により選択を行うことができる。
【００５１】
図２Ａ、図２Ｂ、図３及び図４を参照して、ＲＦＩＤトークン１００は、データ記憶のための不揮発性内部メモリ（ＭＥＭ）５０２、及び送信機（Ｔｘ）５０１を有している。トークン１００は、電子機器２４０の近くに配置される。この電子機器２４０は、図１におけるように、セットトップボックス又は図３における一般的な電子機器として示されるいずれか他の電子機器である。
【００５２】
これにより、電子機器３４０及びＲＦＩＤは、通信リンクを瞬間的に確立することができ、ＲＦＩＤトークン１００は、その中継ＵＲＬ情報、及び選択的には認証データを電子機器３４０に送信することができる。これは、図４のステップＳ１０で行われる。ついで、ステップＳ１５では、電子機器３４０は、特定のトークンを識別する情報、及び中継サーバ３１０にプロファイルＵＲＬデータを提供することを許可するための認証情報を選択的に含むメッセージで、中継ＵＲＬにアクセスする。
【００５３】
ステップＳ２０では、中継サーバ３１０は、要求を認証し、次いで、プロファイルデータの位置を調べて、電子機器３４０に送信する。ステップＳ２５では、電子機器３４０は、認証及び／又は許可データを選択的に含んでいる要求をプロファイルサーバ３０５に生成する。最後に、ステップＳ３０では、プロファイルデータがリターンされる。
【００５４】
なお、プロファイルデータは、マルチステッププロセスで取得される場合があり、電子機器は、プロファイルデータベースに問合せ、利用可能なデータを決定する場合がある。又は、代替的に、電子機器３４０は、電子機器の要求されるデータ又は性能のタイプをプロファイルサーバ３０５に示して、プロファイルサーバ３０５が関連するデータを送信する。別の代替は、プロファイルサーバ３０５について、電子機器により要求されたフォーマットでデータにする。
【００５５】
サーバは、６３０でボックスにより一般的に表されており、ネットワークインタフェース６２０、メモリ６４０、及びコントローラ６１０を有する標準的なネットワーク装置である。
【００５６】
なお、ＵＲＬの代わりに、位置データをＩＰアドレスの形式、又はデータの配置及びネットワークでの処理を可能にする、いずれか他の適切なアドレスメカニズムで提供することができる。プロファイル位置は、スピードダイアルリスト、メディア選択、選択プロダクト分類等のような、多くの異なるタイプのデータを含む場合がある。
【００５７】
なお、電子機器３４０は、プロファイルデータベースにおける全ての情報を取得することができ、又は要求された情報のみを取得することができる。たとえば、データベースがＸＭＬタグ付けされている場合、電子機器３４０は、無関係なコンテンツをフィルタ出力して、自身をパーソナル化することができる。また、なお、本発明の構成は、スマートカード、又は他の物理的なメディア、トランスポンダ、通信装置等を使用して実現することができる。たとえば、中継ＵＲＬは、Ｂｌｕｅｔｏｏｔｈ互換性のあるセル フォン、ＰＤＡ、フラッシュメディア又はディスクであってもよい。好ましくは、装置にとって、安価でかつ持ち運びできることが望ましい。
【００５８】
代替的なＲＦＩＤの実現は、複数の装置で組込まれるＲＦＩＤデータを有することであり、複数の装置のうちの１つは、いつでも手近に置かれる。無線ピコネットが当たり前となり、使用者は複数の相互使用可能な無線装置を持ち運ぶとき、ＲＦＩＤのトークンのＩＤ情報は、特定のユーザにより所有されるそれぞれの装置において記憶される。したがって、ユーザにとって、特定のトークンを持ち運ぶ必要がない。その場合では、電子機器の製造者又は第３者は、中継ＵＲＬデータを消費者への中継サーバ、又は料金サービスとして影響することができる。
【００５９】
ＲＦＩＤトークンは、新たな電子機器と共に発送されるか、又は個別に発送される場合がある。電子機器の例としては、電話、テレビジョン、コンピュータ、キッチン用電子機器、ＰＤＡ、ホテル客室における映画ボックス、ＶＣＲ、又はカスタマイズ可能ないずれか他の装置である。
【００６０】
電子機器は、ユーザにより所有される必要がない。たとえば、ホテル又はショッピングメールビデオキオスクは、関連するアドバイスを買い物客又は旅行者に提供することを可能にして、自己カスタマイズのために利用することができる。ワークステーションを変更する作業者は、作業者がオフィスを移動したとしても、作業者の選択に従って、作業者のワークステーションセットのソフトウェアを自身でセットアップすることができる。カスタマイズ可能な特徴は、デスクトップのアイコンの位置、スクリーンの解像度、ツールバー、背景の色又は持続性のあるリセット可能な特性のようなアプリケーションソフトウェアの設定から構成される場合がある。また、選択情報は、ショッピングメールキオスクがテレビジョン又は映画の選択に基づいたファッションの集合地又はレストランを推薦することができるように、境界を交差する場合がある。
【００６１】
トークン又は装置は、ユーザが使用する間にスマート電子機器の近くに配置される場合がある。装置は、電子機器の近くに配置される必要があるか、又はＢｌｕｅｔｏｏｔｈ（登録商標）ネットワークにおけるように、実質的な半径、たとえば数メートルであるフィールドで動作することができる。近接という必要条件から導出される１つの利点は、ユーザのトークンを単に置いたり除いたりすることにより、ユーザは、ユーザグループへの入出が可能になるという点である。ある期間に電子機器の周辺を離れ、その後戻るような、物理的なセットアップで装置が使用される場合、その期間の間にプロファイルは除かれることになる。
【００６２】
大きな変形のＲＦＩＤ装置を使用して、システムにおけるグループから離れることなしに、電子機器のコンタクトレンジから離れる問題を回避する１つの方法は、電子機器のプログラミングにおいて持続期間を設けることである。ユーザがグループに入ったとき、最小期間の間は彼／彼女がグループに残されるまで、ユーザのプロファイルデータはグループに追加されない。
【００６３】
最初のインターバルの後、ユーザの存在は（インターバルまで永続されて）「持続され」、ユーザが一時的に部屋を離れた場合、グループにおける彼／彼女のメンバシップは失われない。また、ユーザグループに追加されることから過渡的な占有を回避するために、トークンの検出は、確認又は認証されない場合にはユーザのグループへの追加を生じさせない。したがって、電子機器は、新たな占有者が彼／彼女がユーザグループに加わったことを確認したことの確認を要求する。
【００６４】
図５を参照して、事象ステップＳ４０では、ユーザＡは、ユーザＢ及びＣによる使用における電子機器と接続する。ステップＳ５０では、電子機器は、監視タイマを起動する。ステップＳ１００では、ユーザＡがグループにアクティブに加入した場合、これは、多分、新たなユーザがグループへの受け入れをペンディングにしていることを示すテレビジョンスクリーンのアイコンのクリックによるものであり、ステップＳ６５で、ユーザＡはグループに加えられる。
【００６５】
さもなければ、ステップＳ５５で、接続がテストされ、ユーザＡが接続されたままであるかが判定される。ユーザＡが接続解除している場合、彼／彼女はペンディングリストから除かれ、図５の処理が終了される。ステップＳ５５でユーザＡが接続したままである場合、ステップＳ６０で監視タイマがテストされる。タイマがタイムアウトである場合、制御パスはステップＳ６５に進み、タイムアウトでない場合、制御はステップＳ１００に戻る。
【００６６】
図６を参照して、事象Ｓ７０では、ユーザＡのＲＦＩＤは、ユーザＢ及びＣによる使用における電子機器から接続解除する。ステップＳ７５では、電子機器は監視タイマを起動する。ステップＳ１０５では、多分、グループの現在のグループを示しているテレビジョンスクリーンのアイコンをクリックすることにより、ユーザＡがグループをアクティブに離れる場合、ステップＳ９０で、ユーザＡはグループから除かれる。
【００６７】
さもなければ、ステップＳ８０で、接続がテストされ、ユーザＡが再接続されているかが判定される。ユーザＡが再接続された場合、彼／彼女は現在のグループのままであり、図６の処理は終了される。ステップＳ８０で、ユーザＡが接続されていないままの場合、ステップＳ８５で監視タイマがテストされる。タイマがタイムアウトされた場合、制御はステップＳ９０に進み、タイムアウトされていない場合、制御はステップＳ１０５に戻る。
【００６８】
代替的に、装置は、電子機器の直ぐ近くに置かれることが必要とされる。このシナリオでは、それぞれのユーザは、ユーザのグループのアクティブメンバのままでいることが期待される一方で、彼のトークン又は装置を電子機器の近くに置く。これは、ユーザのグループに追加される過渡的な占有の余地という偶然の追加を防止するという利点がある。図７及び図８を参照して、事象Ｓ１２０及びＳ１３０、並びにステップＳ１２５及びＳ１３５に示されるように、接続が確立されると、ユーザはグループにあり、接続が解除されると、ユーザはグループから除かれる。
【００６９】
安全のために、トークンは、中継位置ＵＲＬと同様に、トークンを識別するデータを提供する場合がある。スマート電子機器は、この識別子を送信することが要求される場合がある。これにより、中継サーバ３１０又はプロファイルサーバ３０５、又はこの両者のいずれかからのデータ受信することが許可される。
【００７０】
この許可の必要条件により、ユーザが彼／彼女のＲＦＩＤ装置を失くした場合、彼／彼女は、プロファイルサーバの管理者、又は中継サーバの管理者に対して装置の損失を示すことができる。装置を使用するための続く試みは、その後許可されない。
【００７１】
図９を参照して、ステップＳ２１０では、電子機器３４０は、トークンＩＤ及び認証データ（たとえば、電子機器３４０により促されたＰＩＮコード）を送信する。なお、トークンＩＤは認証としての役割を果たすので、認証データは除外される。次いで、ステップＳ２１５では、電子機器３４０は、中継ＵＲＬを要求する。ステップＳ２１７では、中継サーバは、要求が有効であるか無効であるかが判定される。
【００７２】
ここで、有効である場合、ステップＳ２２０では、プロファイルデータのロケーションを電子機器３４０に送り返す。無効である場合、処理を終了する。ステップＳ２２５では、電子機器は、プロファイルサーバ３０５からプロファイルデータを要求する。最後に、ステップＳ２３０では、プロファイルデータはリターンされる。
【００７３】
図１０を参照して、ステップＳ２４０では、トークンは、そのＩＤ及び中継ＵＲＬを電子機器３４０に送信する。次いで、ステップＳ２１５で、電子機器は、認証データ及びトークンＩＤを中継サーバ３１０に送信する。ステップＳ２１７で、中継サーバは、トークンが認証されたかを判定する。認証された場合には、ステップＳ２２０で、プロファイルＵＲＬを送信する。トークンが認証されない場合、拒否が送信され、処理が終了される。
【００７４】
次いで、ステップＳ２２５及びＳ２３０では、プロファイルデータは、電子機器３４０に送信され、電子機器３４０により受信される。中継ＵＲＬの例を以下に示す。
ｈｔｔｐ：／／１２３．１２３．１２３．１２３／ｔｏｋｅｎｓ／＜ｔｏｋｅｎ ＩＤ＞
好ましくは、この中継ＵＲＬは、トークンＩＤを考慮し、それに応答して内部処理を実行する、いわゆるダイナミックなウェブサイトに接続される。上記では、トークンＩＤ及びＵＲＬは、本質的に同じであり、前者は、ＵＲＬの他の部分内のアーギュメントとしてサーバ処理に単に通過される。プロファイルＵＲＬの例を以下に示す。
ｈｔｔｐ：／／ｗｗｗ．ｆｕｎｐａｇｅ．ｃｏｍ／ｍｙｈｏｍｅｐａｇｅ／〜ｊｏｅｓｍｉｔｈ／＜ｐａｓｓｗｏｒｄ＞／ｐｒｏｆｉｌｅ．ｄａｔ．
後者のＵＲＬは、パスワードとしての役割を果たす秘密のディレクトリ名を含んでおり、遊びでアクセスすることができない。
【００７５】
代替的に、プロファイルＵＲＬは、交換を促すダイナミックサイトを示すことができる。たとえば、かかるサイトは、電子機器のタイプを識別するデータを要求することができる。プロファイルサーバ処理は、この情報を使用して、電子機器のタイプ向けの関連するデータのみを送信することができる。さらに、ユーザは、プロファイルの使用を可能にするために、ＰＩＮ番号又は他の認証装置の入力を促される。ユーザは、電子機器に、又はＲＦＩＤ装置自身を介して認証情報を入力する場合がある。したがって、タグは、小さなユーザインタフェースに提供することができる。
【００７６】
トークンを失くしたとき、中継ＵＲＬは、フルタイムで停止されるか、又は新たな第２の認証タグに結合することにより拒否される。
ユーザグループの変更の構成のように、電子機器は、結合されたプロファイルに関する情報を提供する場合があり、グループは、調整及び不一致の調停を行うことができる。結合におけるグループ選択に対する利用可能なオプションの適合の良好さは、使用される予測エンジンのタイプに依存して通常決定することができる。このトピックは、この特許の範囲外にあるので、ここでは議論しない。
【００７７】
しかし、プロファイルのそれぞれの結合は、ユニークな選択のオプションを許可する。選択のそれぞれの結合された値を決定することができる。したがって、スポーツ愛好家のグループは、嗜好の混合を含むグループよりも、彼らの最も好適な選択のセットにおいて、より高い全体の値を達成することができる。
【００７８】
図１１を参照して、ステップＳ４００では、グループが構成を変更したとき、ステップＳ４０５において、電子機器３４０は、結合プロファイルを再計算する。ステップＳ４１０では、プロファイルの値が決定される。ステップＳ４１５で、前のプロファイルの値よりも大きい場合、ステップＳ４２０で、新たな選択のセットを選択するために、電子機器を与えることができる。
【００７９】
プロファイルは、不完全な情報を必然的に含んでおり、これらを調停するための方法は、ある範囲に制限される。したがって、たとえば、１ユーザのプロファイルにおいて存在しないシットコムは、無関心又は嫌悪を示す。調停のためのメカニズムは、ルールのセットの統合又は交差のような、簡単な論理的な動作に制限される。結合されたプロファイルに関するフィードバックを与えることは、より知的な調停を行うことをユーザに対して可能にする。
【００８０】
図１２を参照して、かかるインタラクティブな調停をサポートするためのユーザインタフェースは、様々なプロファイルから賛成されるマテリアルの全てのカテゴリを表示し、ユーザは、それらの中から選択することが可能となる。たとえば、図１１では、ユーザインタフェースは、スクリーン５００の第１領域におけるそれぞれのユーザのプロファイルからカテゴリ５１０を表示する。第２領域５０５では、インタフェースは、結合グループの選択により生成された、選択されたカテゴリ５２５を表示する。グループは、カテゴリ５２０のうちの１つを選択し、矢印５１５により示されるようなグループ選択に加えられる。
【００８１】
プロファイルを結合することは、一定の同質の解決スペースである必要はない。ある期間、たとえば２時間のＴＶ視聴を計画している１つのグループについて、全てのメンバについて最大にする時間に依存するやり方で妥協することは可能である。あるメンバ又はサブグループについて第１の時間の間に多く選択されたプログラミング、及び別のメンバ又はサブグループについて第２の時間の間に高く評価されたプログラミングを主張するプロファイルの結合を仮定する。
【００８２】
グループが電子機器を一緒に使用する時間を電子機器が知っている場合、電子機器は、その情報を利用して、時間的に高い評価の選択を分離するように選択することができる。結果的に、あるメンバが第１のインターバルの間に彼／彼女の最も選択されたプログラミングを見るようになり、別のユーザが第２のインターバルの間に彼／彼女の最も選択されたプログラムを見るようになる。
【００８３】
消費者が電子機器を購入したとき、複数のＲＦＩＤ装置は、電子機器と共に発送される。好適な実施の形態では、ＲＦＩＤ装置のそれぞれは、Ｍｏｎｏｐｏｌｙ（登録商標）のようにゲームの硬貨のように異なる形状である。そのように、家族のそれぞれのメンバは、それにより識別する硬貨を選択することができる。
【００８４】
代替的に、１台の装置が１台の新しい装置と発送され、更なる装置が必要とされる場合に購入されてもよい。装置が複数のタイプの電子機器と使用される場合、又は複数の電子機器が複数の製造業者により作成される場合、すべてが適用する通信プロトコル規格が存在する。
【００８５】
代替的に、異なるプロトコルは、異なる製造業者及び他の製造業者の装置を認識及び交差するために構築される電子機器のそれぞれにより使用される場合がある。複数の装置は、中継サーバにおける使用されたリソースを防止するために、プロダクトと発送される場合、ユーザは、彼／彼女の装置を登録することが必要とされる。中継サーバへのユーザログは、彼／彼自身を有効なユーザとして許可し、プロファイルＵＲＬを入力する。
【００８６】
ユーザは、このＵＲＬを常に変更又は更新することができるが、それぞれのユーザについて要求されるリソースは非常に小さく、多くのユーザは非常に小さな記憶スペースでサービスを利用することができる。また、中継サーバとの接触を最小にするために、電子機器は、プロファイルデータ又はＵＲＬデータが期間満了になるまでにある期間の間に持続するようにプログラムすることができる。好ましくは、このデータは、電子機器の記憶がプライバシーの問題を与えるものではないように、確認インタフェースを介することなしに知れることはない。
【００８７】
本発明は、プライベートプロファイルのデータベースを意図している。本発明の１実施の形態では、それぞれの電子機器は、このデータベースに情報を寄与する。従来技術は、電子機器とのユーザインタラクションを監視することにより、ユーザ選択に適合するシステムの様々な記述を含んでいる。たとえば、時間を通してのユーザプログラミングの選択を監視することにより、ＥＰＧセットトップボックスは、ルールを導出し、これらを使用して将来的にＥＰＧをパーソナル化することができる。
【００８８】
このプロファイルデータは、電子機器によりユーザのパーソナルプロファイルサーバにアップロードされる場合がある。好ましくは、データフォーマットは、複数のクラスの電子機器にわたり標準化されることが好ましいが、これは本質的なものではない。たとえば、データは、様々な装置がタグ付けを通してその意味をとることを可能にして、ＸＭＬタグ付けされてアドホックに記憶される。
【００８９】
上述したように、本発明は、とりわけ、様々な電子機器の中でもプロファイル又は設定データを「移動する」能力を提供する。また、本発明は、プロファイル又は設定データを、ＵＲＬのような記憶しなければならないものよりはむしろ、物理的なオブジェクトに関連付ける能力を提供する。さらに、本発明は、ユーザインタフェースを介してデータ入力を要求することなしに、ユーザを識別するための簡単、高速、かつ便利なメカニズムを提供する。
【００９０】
さらに、本発明は、アドホックグループが電子機器に対して定義されて表され、それにより複数のユーザプロファイルをマージする能力を提供する。なお、さらに、本発明は、製造業者が必要なデータの容量のサポートを製造業者に要求することなしに、サービスインフラストラクチャのサポートに対する鍵を製造業者に提供するための能力を提供する。後者の特徴は、ユーザデータをより安全にかつより個人的にするための装置を許可する利点を有する。
【００９１】
本発明の別の特徴によれば、いずれか又は両者を介してデータアクセスを制御するプロファイルサーバ又は管理サーバとのインタラクションを可能にするユーザインタフェースにより、ユーザは、彼／彼女のプロファイルデータの特定のサブセットを所与のＲＦＩＤ装置と相関付けることができる。
【００９２】
たとえば、ユーザが複数のＲＦＩＤ装置を購入する。ユーザは、ユーザのパーソナル電話リストを有することを別の人間に許可したい場合がある。ユーザは、中継サーバ、プロファイルサーバ又は別のサーバのいずれかに関して実行するユーザインタフェースの管理者の処理を通して、トークンを彼／彼女のプロファイルデータの特定のサブセットとのみ関連付けることができる。
【００９３】
管理者ユーザインタフェースは、（自動的に、又はＩＤと関連付けられたコードを入力して、ユニークに識別することにより）トークンＩＤの入力を可能にする。ユーザインタフェースは、様々な許可と特定のトークンとの関連付けを許容する。そのようにした後、認証プロセスは、特定のトークンを使用して特定のデータのみがプロファイルから取得することができることを保証する入口固め処理を構成する。入口固め処理は、たとえば、特定のサブセットのデータのみが許可されるプロファルサーバを示す中継サーバで実行する。代替的に、入口固め機能は、プロファイルサーバに提供されてもよい。管理のユーザインタフェースにより提供される選択の中で、特定の時間期間の後に、トークンを使用できないようにする生存時間とすることができる。
【００９４】
本発明は、原理的にＲＦＩＤタグ又は装置に関して記載してきたが、いずれかタイプのデータ伝送装置であっても使用することができる。たとえば、電子機器のユーザインタフェースは、中継ＵＲＬを手動で入力するために使用されてもよいし、又は、ＵＲＬがスマートカード、バーコード、又はデータを送信するための他の手段に記憶されてもよい。
【００９５】
また、本発明の特徴は、プロファイルサーバのプロファイルデータが、各種電子機器および文脈に関連するデータを含む変化に富んだ選択データを含んでいてもよい。したがって、プロファイルデータは、ソフトウェアワークステーション環境の選択、電話スピードダイアルリスト、ＰＤＡアドレス、電話予約エントリ、レシピ、オーブン温度設定、冷蔵庫設定、皿洗い機の洗浄モード、インターネットサイトのお気に入り等、を含んでいてもよい。これらの様々なデータは、選択データの１つのコーパスに記憶されてもよいし、同じユーザインタフェースにより管理されてもよい。
【００９６】
本発明は上述した例示的な実施の形態の詳細に限定されず、本発明は、本発明の精神及び本質的な性質から逸脱することなしに、他の特定の形式で具現化することができることは、当業者であれば明らかであろう。したがって、本発明の実施の形態は、例示された全ての観点及び限定されずに考慮される。本発明の範囲は、上述した記載よりはむしろ特許請求の範囲により示される。この特許請求の範囲の等価な意味及び範囲内で起こる全ての変更は、この請求項に包含されることが意図される。
【図面の簡単な説明】
【図１】本発明が有効に適用されるシステムを例示する図である。
【図２Ａ】本発明が使用される電子番組ガイドを生成するセットトップボックスを有するテレビジョンを例示する図である。
【図２Ｂ】本発明の実施の形態によるＲＦＩＤトークンを例示する図である。
【図３】本発明の実施の形態によるプロファイルデータを取得するために電子機器により使用される接続のセットを例示する図である。
【図４】本発明の実施の形態によるプロファイルデータを取得するための手順を表すフローチャートである。
【図５】本発明の実施の形態によるユーザのグループに新たなユーザを追加するための手順を示すフローチャートである。
【図６】本発明の実施の形態によるユーザのグループからユーザを除くための手順を示すフローチャートである。
【図７】本発明の実施の形態によるユーザのグループに新たなユーザを追加するための別の手順を示すフローチャートである。
【図８】本発明の実施の形態によるユーザのグループからユーザを除くための別の手順を示すフローチャートである。
【図９】本発明の実施の形態によるユーザプロファイルにアクセスするための確認手順の１つのタイプを示すフローチャートである。
【図１０】本発明の実施の形態によるユーザプロファイルにアクセスするための確認手順の別のタイプを示すフローチャートである。
【図１１】プロファイルの混合が変更されたユーザのグループに新たなオプションを提供するための手順を示すフローチャートである。
【図１２】グループにプロファイルデータの混合の最適化を可能にするためのユーザインタフェースを例示するフローチャートである。
【図１】
2004501462.tif 000003
【図２Ａ】
2004501462.tif 000004
【図２Ｂ】
2004501462.tif 000005
【図３】
2004501462.tif 000006
【図４】
2004501462.tif 000007
【図５】
2004501462.tif 000008
【図６】
2004501462.tif 000009
【図７】
2004501462.tif 000010
【図８】
2004501462.tif 000011
【図９】
2004501462.tif 000012
【図１０】
2004501462.tif 000013
【図１１】
2004501462.tif 000014
【図１２】
2004501462.tif 000015
【国際公開パンフレット】
2004501462.tif 000016
2004501462.tif 000017
2004501462.tif 000018
2004501462.tif 000019
2004501462.tif 000020
2004501462.tif 000021
2004501462.tif 000022
2004501462.tif 000023
2004501462.tif 000024
2004501462.tif 000025
2004501462.tif 000026
2004501462.tif 000027
2004501462.tif 000028
2004501462.tif 000029
2004501462.tif 000030
2004501462.tif 000031
2004501462.tif 000032
2004501462.tif 000033
2004501462.tif 000034
2004501462.tif 000035
2004501462.tif 000036
2004501462.tif 000037
2004501462.tif 000038
2004501462.tif 000039
2004501462.tif 000040
2004501462.tif 000041
2004501462.tif 000042
2004501462.tif 000043
2004501462.tif 000044
【国際公開パンフレット（コレクトバージョン）】
2004501462.tif 000045
【国際調査報告】
2004501462.tif 000046
2004501462.tif 000047
2004501462.tif 000048